(57)【特許請求の範囲】
【請求項１】
入出力界面を提供する電子デバイスであって、
出力界面に用いられる第一の投影信号と入力界面に用いられる第二の投影信号とを生成するように配置される入出力コントローラーと、
前記第一の投影信号に従って前記出力界面を投影するように配置される第一の投影部品と、
前記第二の投影信号に従って前記入力界面を投影するように配置される第二の投影部品と、
投影された入力界面の中の入力信号を検出し、検出された入力信号を前記電子デバイスの入力信号として前記入出力コントローラーに伝送するように配置される検出部品と、
前記第一の投影部品と前記第二の投影部品とを接続し、前記第一の投影部品と前記第二の投影部品とを相対的に回転させ、投影された出力界面と投影された入力界面との相対的な投影方向を変わるように配置される接続機構と、
を含み、
多種の操作モードを有し、且つ、前記接続機構は、前記多種の操作モードから選択される操作モードに従って、前記第一の投影部品と前記第二の投影部品とのうちの少なくとも一つを自動に回転し、対応する相対的な投影方向により前記出力界面と前記入力界面とを投影するように配置される、
電子デバイス。
【請求項２】
検出部品は、ユーザーが選択する操作モードを検出し、検出された選択された操作モードを入出力コントローラーに伝送するように配置され、
入出力コントローラーは、選択された操作モードに基づいて、前記第一の投影部品と前記第二の投影部品との相対的な投影方向を指示する制御信号を生成し、前記制御信号を接続機構に伝送するように配置され、
接続機構は、前記制御信号に指示された相対的な投影方向に従って前記第一の投影部品と前記第二の投影部品とのうちの少なくとも一つを回転するように配置される、
請求項1に記載の電子デバイス。
【請求項３】
入出力コントローラーは、操作モードと前記第一の投影部品および前記第二の投影部品の相対的な投影方向との間のマッピングテーブルを形成して記憶する、または、操作モードの識別子に基づいて前記第一の投影部品と前記第二の投影部品との相対的な投影方向を導くように配置される、
請求項2に記載の電子デバイス。
【請求項４】
前記接続機構は、接続機構の軸方向に前記第一の投影部品と前記第二の投影部品とを接続し、且つ、前記第一の投影部品と前記第二の投影部品との前記軸方向上に相対的な位置の変わりに基づいて、前記第一の投影部品と前記第二の投影部品との相対的な回転を許可するロック解除状態と前記第一の投影部品と前記第二の投影部品との相対的な回転を禁止するロック状態との間に切り替えるように配置される、
請求項1に記載の電子デバイス。
【請求項５】
前記第一の投影部品と前記第二の投影部品とは、それぞれに前記第一の投影部品と前記第二の投影部品との各々の投影パラメーターに従って出力界面と入力界面とを投影するように配置され、且つ、前記電子デバイスは、電子デバイスが位置する環境の環境光輝度を感知するように配置される環境光感知モジュールをさらに含み、感知された環境光輝度が、前記第一の投影部品と前記第二の投影部品との投影パラメーターを調節することに用いられる、
請求項1に記載の電子デバイス。
【請求項６】
前記第一の投影部品と前記第二の投影部品とは、それぞれに前記第一の投影部品と前記第二の投影部品との各々の投影パラメーターに従って出力界面と入力界面とを投影するように配置され、且つ、前記電子デバイスは、タッチ領域でユーザーがタッチする力の大きさを感知するように配置されるタッチ感知モジュールをさらに含み、感知された力の大きさが、前記第一の投影部品と前記第二の投影部品との投影パラメーターを調節することに用いられる、
請求項1に記載の電子デバイス。
【請求項７】
電子デバイスのユーザーの指紋を得て、且つ、ユーザーの指紋に基づいてユーザを鑑別するように配置される指紋識別領域をさらに含む、
請求項1に記載の電子デバイス。
【請求項８】
前記入出力コントローラーは、前記電子デバイスが実行するアプリケーションに基づいて第二の投影信号を生成するように配置され、且つ、前記第二の投影部品は、前記第二の投影信号に基づいて、前記電子デバイスが実行するアプリケーションに適応する入力界面を投影するように配置される、
請求項1に記載の電子デバイス。
【請求項９】
前記入力界面が、前記電子デバイスに用いられる仮想キーボードまたは仮想コントロールパネルであり、且つ、前記出力界面が、前記電子デバイスに用いられる仮想スクリーンである、
請求項1に記載の電子デバイス。
【請求項１０】
電子デバイスに用いられる入出力の方法であって、
出力界面に用いられる第一の投影信号と入力界面に用いられる第二の投影信号とを生成することと、
第一の投影部品により、前記第一の投影信号に従って出力界面を投影することと、
第二の投影部品により、前記第二の投影信号に従って入力界面を投影することと、
投影された入力界面の中の入力信号を検出し、前記電子デバイスの入力信号とすることと、
前記第一の投影部品と前記第二の投影部品とを接続する接続機構により、前記第一の投影部品と前記第二の投影部品とを相対的に回転させ、前記第一の投影部品と前記第二の投影部品との相対的な投影方向を変わることと、
を含み、
前記電子デバイスは、多種の操作モードを有し、且つ、前記方法は、前記多種の操作モードから選択される操作モードに従って、前記接続機構により、前記第一の投影部品と第二の投影部品とのうちの少なくとも一つを自動に回転し、対応する相対的な投影方向により前記出力界面と前記入力界面とを投影することをさらに含む、方法。
【請求項１１】
前記電子デバイスが実行するアプリケーションに基づいて第二の投影信号を生成し、且つ、前記第二の投影信号に基づいて、前記電子デバイスが実行するアプリケーションに適応する入力界面を投影する、ことをさらに含む、
請求項10に記載の方法。
【請求項１２】
電子デバイスに用いられる入出力装置であって、
前記電子デバイスに通信可能に接続し、且つ、前記電子デバイスからの出力界面に用いられる第一の投影信号と入力界面に用いられる第二の投影信号とを受信するように配置される通信部品と、
前記第一の投影信号に従って前記出力界面を投影するように配置される第一の投影部品と、
前記第二の投影信号に従って前記入力界面を投影するように配置される第二の投影部品と、
投影された入力界面の中の入力信号を検出するように配置される検出部品と、
前記第一の投影部品と前記第二の投影部品とを接続し、前記第一の投影部品と前記第二の投影部品とを相対的に回転させ、投影された出力界面と投影された入力界面との相対的な投影方向を変わるように配置される接続機構と、
を含み、
その中で、前記通信部品は、検出された入力信号を前記電子デバイスに伝送するようにさらに配置され、前記通信部品は、前記電子デバイスより多種の操作モードから選択される操作モードを受信するように配置され、且つ、前記接続機構は、受信された操作モードに従って、前記第一の投影部品と第二の投影部品とのうちの少なくとも一つを自動に回転し、対応する相対的な投影方向により前記出力界面と前記入力界面とを投影するように配置される、
入出力装置。
【請求項１３】
前記接続機構は、接続機構の軸方向に前記第一の投影部品と前記第二の投影部品とを接続し、且つ、前記第一の投影部品と前記第二の投影部品との前記軸方向上に相対的な位置の変わりに基づいて、前記第一の投影部品と前記第二の投影部品との相対的な回転を許可するロック解除状態と前記第一の投影部品と前記第二の投影部品との相対的な回転を禁止するロック状態との間に切り替えるように配置される、
請求項12に記載の入出力装置。
【請求項１４】
前記第二の投影部品は、前記第二の投影信号に基づいて、前記電子デバイスが実行するアプリケーションに適応する入力界面を投影する、
請求項12に記載の入出力装置。
【発明の詳細な説明】
【技術分野】
【０００１】
関連出願の相互参照
この出願は、2016年6月22日に出願された出願番号が201610454725.7である中国特許出願の優先権を主張するものであり、この出願の全体の内容が引用の方式で本明細書に組み込まれる。
【０００２】
本開示は、電子デバイス、入出力装置、およびその使用方法に関する。
【背景技術】
【０００３】
電子技術とコンピュータ技術などによる急速な発展につれて、電子デバイスが、より多い功能を有し、より多いサービスを提供できる。伝統の電子デバイス、例えばノート型パソコン、タブレットPCなどは、通常に例えばスクリーンとキーボードなどの入出力装置により、ユーザーとのインタラクションを完成するが、インタラクションに用いられる入出力界面の大きさは、通常にスクリーンとキーボードの実際の大きさによって決まる。スクリーンとキーボードが一定の体積を有し且つ曲がらないので、大きいスクリーンとキーボードとを有する電子デバイスが通常に、より大きい空間を占めることが必要となる。しかし、電子デバイスのスクリーンとキーボードの大きさを低減して、入出力界面の大きさを小さくし、呈される内容が少ない且つユーザーの操作が便利でないなどの問題を引き起こす。
【発明の概要】
【０００４】
本開示の目的は、上記問題を緩和するまたは低減する電子デバイス、入出力装置、およびその相関の方法を提供するである。
【課題を解決するための手段】
【０００５】
本開示の実施例に従って、入出力コントローラーと、第一の投影部品と、第二の投影部品と、検出部品とを含む電子デバイスを提供した。入出力コントローラーは、出力界面に用いられる第一の投影信号と入力界面に用いられる第二の投影信号とを生成するように配置される。第一の投影部品は、この第一の投影信号に従ってこの出力界面を投影するように配置される。第二の投影部品は、この第二の投影信号に従ってこの入力界面を投影するように配置される。検出部品は、投影された入力界面の中の入力信号を検出し、検出された入力信号を前記電子デバイスの入力信号としてこの入出力コントローラーに伝送するように配置される。
【０００６】
いくつかの実施例において、電子デバイスは、この第一の投影部品とこの第二の投影部品とを接続するように配置される接続機構をさらに含む。接続機構は、この第一の投影部品とこの第二の投影部品とを相対的に回転させ、投影された出力界面と投影された入力界面との投影方向を変わる。
【０００７】
いくつかの実施例において、電子デバイスは、多種の操作モードを有する。接続機構は、前記多種の操作モードから選択される操作モードに従って、この第一の投影部品と第二の投影部品とのうちの少なくとも一つを自動に回転し、対応する投影方向によりこの出力界面とこの入力界面とを投影するように配置される。
【０００８】
いくつかの実施例において、接続機構は、接続機構の軸方向にこの第一と第二の投影部品とを接続し、且つ、この第一の投影部品とこの第二の投影部品とのこの軸方向上に相対的な位置の変わりに基づいて、この第一の投影部品とこの第二の投影部品との相対的な回転を許可するロック解除状態とこの第一の投影部品とこの第二の投影部品との相対的な回転を禁止するロック状態との間に切り替えるように配置される。
【０００９】
いくつかの実施例において、電子デバイスは、環境光感知モジュールをさらに含む。環境光感知モジュールは、電子デバイスが位置する環境の環境光輝度を感知するように配置され、感知された環境光輝度が、この第一の投影部品とこの第二の投影部品との投影パラメーターを調節することに用いられる。
【００１０】
いくつかの実施例において、電子デバイスは、タッチ感知モジュールをさらに含む。タッチ感知モジュールは、予め設置されたタッチ領域でユーザーがタッチする力の大きさを感知するように配置され、感知された力の大きさが、この第一の投影部品とこの第二の投影部品との投影パラメーターを調節することに用いられる。
【００１１】
いくつかの実施例において、電子デバイスは、指紋識別領域をさらに含む。指紋識別領域は、電子デバイスのユーザーの指紋を得て、且つ、このユーザーの指紋に基づいてユーザを鑑別するように配置される。
【００１２】
いくつかの実施例において、入出力コントローラーは、この電子デバイスが実行するアプリケーションに基づいて第二の投影信号を生成するように配置され、且つ、第二の投影部品は、この第二の投影信号に基づいて、この電子デバイスが実行するアプリケーションに適応する入力界面を投影するように配置される。
【００１３】
いくつかの実施例において、入力界面が、この電子デバイスに用いられる仮想キーボードまたは仮想コントロールパネルであり、且つ、出力界面が、この電子デバイスに用いられる仮想スクリーンである。
【００１４】
本開示の実施例に従って、電子デバイスに用いられる入出力の方法をさらに提供する。この方法は、出力界面に用いられる第一の投影信号と入力界面に用いられる第二の投影信号とを生成することと、第一の投影部品により、この第一の投影信号に従ってこの出力界面を投影することと、第二の投影部品により、この第二の投影信号に従ってこの入力界面を投影することと、投影された入力界面の中の入力信号を検出し、前記電子デバイスの入力信号とすることと、を含む。
【００１５】
いくつかの実施例において、この方法は、この第一の投影部品とこの第二の投影部品とを接続する接続機構により、この第一の投影部品とこの第二の投影部品とを相対的に回転させ、この第一の投影部品とこの第二の投影部品との投影方向を変わる、ことをさらに含む。
【００１６】
いくつかの実施例において、この電子デバイスは、多種の操作モードを有し、且つ、この方法は、前記多種の操作モードから選択される操作モードに従って、この接続機構により、この第一の投影部品と第二の投影部品とのうちの少なくとも一つを自動に回転し、対応する投影方向によりこの出力界面とこの入力界面とを投影することを含む。
【００１７】
いくつかの実施例において、この方法は、この電子デバイスが実行するアプリケーションに基づいて第二の投影信号を生成し、且つ、この第二の投影信号に基づいて、この電子デバイスが実行するアプリケーションに適応する入力界面を投影する、ことをさらに含む。
【００１８】
本開示の実施例に従って、電子デバイスに用いられる入出力装置を提供し、この入出力装置は、通信部品と、第一の投影部品と、第二の投影部品と、検出部品と、を含む。通信部品は、この電子デバイスに通信可能に接続し、且つ、この電子デバイスからの出力界面に用いられる第一の投影信号と入力界面に用いられる第二の投影信号とを受信するように配置される。第一の投影部品は、この第一の投影信号に従ってこの出力界面を投影するように配置される。第二の投影部品は、第二の投影信号に従ってこの入力界面を投影するように配置される。検出部品は、投影された入力界面の中の入力信号を検出するように配置される。この通信部品が、検出された入力信号をこの電子デバイスに伝送するようにさらに配置される。
【００１９】
いくつかの実施例において、この入出力装置は、接続機構をさらに含む。接続機構は、この第一の投影部品とこの第二の投影部品とを接続し、この第一の投影部品とこの第二の投影部品とを相対的に回転させ、投影された出力界面と投影された入力界面との投影方向を変わるように配置される。
【００２０】
いくつかの実施例において、この通信部品は、この電子デバイスより多種の操作モードから選択される一つの操作モードを受信するように配置される。この接続機構は、受信された操作モードに従って、この第一の投影部品と第二の投影部品とのうちの少なくとも一つを自動に回転し、対応する投影方向によりこの出力界面とこの入力界面とを投影するように配置される。
【００２１】
いくつかの実施例において、この接続機構は、接続機構の軸方向にこの第一の投影部品とこの第二の投影部品とを接続し、且つ、この第一の投影部品とこの第二の投影部品とのこの軸方向上に相対的な位置の変わりに基づいて、この第一の投影部品とこの第二の投影部品との相対的な回転を許可するロック解除状態とこの第一の投影部品とこの第二の投影部品との相対的な回転を禁止するロック状態との間に切り替えるように配置される。
【００２２】
本開示の実施例に従って、投影方式を採用し入出力を行うことにより、電子デバイスの入出力装置を小型化させると同時に、依然として所望の大きさの入出力界面を提供する。これは、電子デバイスの体積をさらに低減させることができ、それと同時に、依然として操作上の便利を保持する。
【図面の簡単な説明】
【００２３】
当業者にとって、図面を組み合わせて以下に本開示の実施例についての詳しい説明を参考することにより、本開示のこれらとその他の特徴及び利点がより一層明瞭になる。
【図１】図1は、本開示の実施例による電子デバイスを図示する模範的なブロック図である。
【図２ａ】図2aは、本開示の実施例による模範的な電子デバイスを図示する。
【図２ｂ】図2bは、本開示の実施例による模範的な電子デバイスを図示する。
【図３】図3は、本開示の実施例による電子デバイスを操作するための方法を図示するフローチャートである。
【図４】図4は、本開示の実施例による入出力装置を図示する模範的なブロック図である。
【図５】図5は、本開示の実施例による入出力装置を応用する模範的な環境を図示する。
【発明を実施するための形態】
【００２４】
以下の説明において、制限のためではなく解釈のために、開示された実施例のいくつかの特定詳細（例えば、体系構成、インタフェイスと技術など）をはっきりと述べることにより、本開示を明らかに、且つ徹底的に理解できる。しかしながら、当業者は、本開示の精神と範囲を逸脱しない場合に、本明細書に述べられる詳細と精確的に符合しないその他の実施例により本開示を実施してもよいことを容易に理解すべだ。また、この明細書には、簡単のために、よく知っているデバイス、電気回路と方法についての詳しい叙述を省略して、余計な詳細と引き起こすことができる混淆を回避する。
【００２５】
図1は、本開示の実施例による電子デバイス100の模範的なブロック図を示す。電子デバイスは、様々な方式で配置するデバイスであってもよい。例えば、電子デバイス100は、コンピュータ、モバイルデバイス（例えば、モバイルステーション、移動電話、パーソナルデジタルアシスタント（PDA））、消費者電子デバイス（例えば、娯楽器具、ゲーム機）などであってもよい。いくつかの実施例において、電子デバイス100は携帯電子デバイスである。
【００２６】
電子デバイス100は、入出力（I/O）コントローラー110と、第一の投影部品120と、第二の投影部品130と、検出部品140とを含み、これらの部品が互いに操作可能にカップリングされる。
【００２７】
I/Oコントローラー110は、電子デバイスの出力界面のための第一の投影信号と電子デバイスの入力界面のための第二の投影信号を生成するように配置される。出力界面は、電子デバイス100が出力する内容、例えば、電子デバイス100が実行するアプリケーションの中の一つのまたは複数により生成および/または管理されるビジュアルエレメント（例えば、テキスト、画像、ウインドーなど）を呈する。入力界面は、電子デバイス100が入力（例えばコマンドと情報）を受信するための入力インタフェースを呈する。いくつかの実施例において、I/Oコントローラー110は、電子デバイスの工作状態および/または電子デバイスが実行するアプリケーションに基づいて、第一及び第二の投影信号を生成することができる。アプリケーションの例示は、ブラウザアプリケーション、ワードプロセシングアプリケーション、ゲームアプリケーション、ビデオプレーヤーアプリケーションなどを含む。
【００２８】
第一の投影部品120と第二の投影部品130とが、I/Oコントローラー110にカップリングされ、第一の投影信号及び第二の投影信号を受信する。第一の投影部品120は、第一の投影信号により電子デバイス100のための出力界面を投影するように配置され、第二の投影部品130は、第二の投影信号により電子デバイス100のための入力界面を投影するように配置される。代わりに、出力界面が例えば壁面や掛けられる投影緞帳の上に投影されてもよく、入力界面がテーブルの上に投影されてもよく、特別に、ユーザーの操作に便利な位置の上に投影されてもよい。いくつかの実施例において、出力界面と入力界面とが予め設置されたタッチ板に組み合わせて使用されてもよく、例えば、対応するタッチ板の上に投影される。
【００２９】
いくつかの実施例において、第一の投影部品と第二の投影部品とが、この第一と第二の投影信号に基づいて、この電子デバイスの工作状態に適応する出力界面と入力界面を投影することができる。例えば、電子デバイス100が工作状態にあると、第一の投影信号は、出力界面を内容が呈される仮想スクリーンに投影するように第一の投影部品120を制御してもよく、且つ、第二の投影信号は、入力界面を呈される内容を操れる入力インタフェース、例えば、仮想キーボードまたは仮想コントロールパネルに投影するように制御してもよい。電子デバイス100が休眠状態にあると、第一の投影信号と第二の投影信号とは、第一の投影部品120と第二の投影部品130をオフにするように制御してもよい。出力界面と入力界面との投影を電子デバイスの工作状態により変化させることにより、省電力の目的を達成することができる。
【００３０】
いくつかの実施例において、第一の投影部品と第二の投影部品とが、この第一と第二の投影信号に基づいて、この電子デバイスが実行するアプリケーションに適応する出力界面と入力界面を投影することができる。一つの例示において、電子デバイス100が通常のワードプロセシングアプリケーションまたはブラウザアプリケーションを実行すると、入力界面が例えば通常のデスクトップパソコンキーボードまたはノート型パソコンキーボードに投影されてもよい。もう一つの例示において、電子デバイスがゲームアプリケーションまたは特定の任務を実行すると、入力界面が専用のゲームキーボードまたはこの任務に専用するキー付きキーボードに投影されてもよい。さらに別の例示において、電子デバイスがビデオプレーアプリケーションを実行すると、入力界面が例えば再生、早送り、巻き戻し、一時停止などファンクションキー付きコントロールパネルに投影されてもよい。入力界面の投影を電子デバイスが実行するアプリケーションにより変化させることにより、電子デバイスのユーザー使い勝手をさらに強める。
【００３１】
検出部品140は、投影される入力界面の中の入力信号を検出し、且つ、検出された入力信号を前記電子デバイスの入力信号としてI/Oコントローラー110に伝送するように配置される。いくつかの実施例において、検出部品140は、赤外線技術を利用して前記検出を行うことができる。例えば、検出部品140は、タッチ主体（例えばユーザーの指）の投影される入力界面での動作を追跡して前記検出を実現する赤外線センサーを含ってもよい。
【００３２】
I/Oコントローラー110は、検出部品140から入力信号を受信した時に、この入力信号により第一の投影信号および/または第二の投影信号を変わるまたは再生成してもよく、これにより、投影される出力界面および/または入力界面がこの入力信号に応答する。
【００３３】
本開示の実施例に従って、投影方式を通じて入出力を行い、電子デバイスの入出力装置を小型化させると同時に、依然として所望の大きさの入出力界面を提供する。これは、電子デバイスの体積をさらに低減させることができ、それと同時に、依然として操作上の便利を保持する。特別に、携帯電子デバイスについては、これは、それに携帯性をさらに持たせる。
【００３４】
一つの例示において、第一の投影部品と第二の投影部品とは、それぞれにその各々の投影パラメーターに従って出力界面と入力界面とを投影するように配置され、且つ、電子デバイス100は、電子デバイスが位置する環境の環境光輝度を感知するように配置される環境光感知モジュール150をさらに含み、感知された環境光輝度が、この第一の投影部品とこの第二の投影部品との投影パラメーターを調節することに用いられる。いくつかの実施例において、環境光感知モジュール150は、I/Oコントローラー110にカップリングされ、且つ、感知された環境光輝度をI/Oコントローラー110に伝送することができる。I/Oコントローラー110は、受信された環境光輝度により、対応する投影信号を生成し、第一の投影部品と第二の投影部品との投影パラメーターを調節することができる。代わりに、環境光感知モジュール150は、第一の投影部品と第二の投影部品とにカップリングされ、且つ、感知された環境光輝度を第一の投影部品と第二の投影部品とに伝送することができる。第一の投影部品と第二の投影部品とは、受信された環境光輝度により、第一の投影部品と第二の投影部品との投影パラメーターを対応的に調節することができる。いくつかの実施例において、投影パラメーターが投影輝度であってもよく、且つ、I/Oコントローラー110が、環境光輝度が大きいと投影輝度を高めるように配置されてもよい。
【００３５】
投影部品の投影パラメーターが、この電子デバイスが位置する環境の環境光輝度に適応させることにより、入力/出力界面の投影品質をさらに高める。
【００３６】
もう一つの例示において、第一の投影部品と第二の投影部品とは、それぞれにその各々の投影パラメーターに従って出力界面と入力界面とを投影するように配置され、且つ、この電子デバイス100は、予め設置されたタッチ領域でユーザーがタッチする力の大きさを感知するように配置されるタッチ感知モジュール160をさらに含み、感知された力の大きさが、第一の投影部品と第二の投影部品との投影パラメーターを調節することに用いられる。いくつかの実施例において、タッチ感知モジュール160は、I/Oコントローラー110にカップリングされ、且つ、感知された力の大きさをI/Oコントローラー110に伝送することができる。I/Oコントローラー110は、受信された力の大きさにより、対応する投影信号を生成し、第一の投影部品と第二の投影部品との投影パラメーターを調節することができる。代わりに、タッチ感知モジュール160は、第一の投影部品と第二の投影部品とにカップリングされ、且つ、感知された力の大きさを第一の投影部品と第二の投影部品とに伝送することができる。第一の投影部品と第二の投影部品とは、受信された力の大きさにより、第一の投影部品と第二の投影部品との投影パラメーターを対応的に調節することができる。投影パラメーターが例えば投影された入力界面および/または出力界面の解像度であってもよい。いくつかの実施例において、タッチ領域は、キーの形式に設置され、且つ、タッチ感知モジュールは、ユーザーがこのキーを押圧する力の大きさを感知してもよい。夫々のタッチの異なる特性をさらに区別してこの特性に基づいて投影制御を行うことにより、ユーザーが電子デバイスを操る便利性をさらに高める。
【００３７】
図2aと図2bは、本開示の実施例による模範的な電子デバイス200を図示し、その中、図2aは、電子デバイス200の正面図を示し、且つ、図2bは、電子デバイス200の背面図を示する。電子デバイス200は、図1に叙述されるような一つのまたは複数の部品を含んでもよい。図2aでは、電子デバイス200の主体は、第一の部分210と第二の部分220とに分けられる。第一の投影部品（例えば第一の投影レンズ）211が第一の部分210に置かれることができ、第二の投影部品（例えば第二の投影レンズ）221が第二の部分220に置かれることができる。いくつかの実施例において、第一の投影部品211がいかなる平面でも電子デバイスのために出力界面を投影して例えば仮想スクリーンを呈することがてき、第二の投影部品221がいかなる平面でも電子デバイスのために入力界面を投影して例えば仮想キーボードまたは仮想コントロールパネルを呈することがてきる。
【００３８】
電子デバイス200は、第一の部分210と第二の部分220とを接続することにより第一の投影部品211と第二の投影部品221とを接続するように配置される接続機構230を含むことにさらに図示される。接続機構230は、第一の投影部品と第二の投影部品とを相対的に回転させ、投影された出力界面と投影された入力界面との投影方向を変わるように配置される。代わりに、接続機構230は、ピボットによる接続、万能継手接続または球形接続など方式を採用し、この第一の投影部品211と第二の投影部品221とを接続する。代わりに、相対的に回転することは、水平方向または垂直方向に行ってもよい。これは、以下の事情について有利である。ある会議には複数の参加者があると、電子デバイス200は、第一の投影部品211により予定された方向に従って出力界面を投影する（例えば、会議内容資料を呈する）ことにより、全ての参加者が観覧することに供するように配置されることができる。この電子デバイス200は異なる参加者により操られる必要があると、接続機構230は、第二の投影部品が第一の投影部品に対して異なる角度だけ回転されることを許可することができ、これにより、出力界面を操ることができる入力界面が対応する参加者の位置に投影される。
【００３９】
本開示の実施例に従って、このような接続機構を設置し、入力界面/出力界面の投影方向をフレクシブルに調整することができ、ことにより、電子デバイスの使用便利性を高める。
【００４０】
第一の部分210と第二の部分220とが分離したものであってもよく、これにより、第一の投影部品と第二の投影部品とがユーザーにより所望の方式に従って単独で位置決めておよび/または投影方向を設置してもよい、ことを理解できる。
【００４１】
いくつかの実施例において、電子デバイス200では、多種の操作モードを有する。操作モードが、予め設置されてもよく、ユーザーにより設置されてもよい。それぞれの操作モードは、一つの使用シーンに対応してもよく、それぞれの入力界面/出力界面の投影方向を有する。使用シーンが、例えば個人使用シーンと会議使用シーンであってもよい。接続機構230は、多種の操作モードから選択される操作モードに従って第一の投影部品と第二の投影部品とのうちの少なくとも一つを自動に回転し、対応する投影方向によりこの出力界面とこの入力界面とを投影するように配置される。いくつかの実施例において、検出部品140は、ユーザーが選択する操作モードを検出し、それをI/Oコントローラー110に伝送する。I/Oコントローラー110は、選択された操作モードに基づいて、第一の投影部品と第二の投影部品との投影方向を指示する制御信号を生成し、それを接続機構230に伝送する。接続機構230は、制御信号に指示された投影方向に従って第一の投影部品と第二の投影部品とのうちの少なくとも一つを回転する。いくつかの実施例において、I/Oコントローラー110は、操作モードと第一の投影部品および第二の投影部品の投影方向との間のマッピングテーブルを形成して記憶し、選択された操作モードに基づいてマッピングテーブルの中で対応する投影方向を探す。代わりに、I/Oコントローラー110は、操作モードの識別子に基づいて、第一の投影部品と第二の投影部品との投影方向を導いてもよい。例えば、操作モードの識別子が１、２、３に設置されると、第一の投影部品の投影方向と第二の投影部品の投影方向との間の角度が、識別子×30度、すなわち30度、60度、90度に設定されてもよい。
【００４２】
例えば、電子デバイス200は、予め設置された個人使用シーンに対応する個人モードと会議使用シーンに対応する会議モードとを有する。個人モードでは、第一の投影部品の投影方向と第二の投影部品の投影方向との間の予定の角度が例えば180度であり、すなわち、第一の投影部品と第二の投影部品とが反対な方向上にそれぞれに出力界面と入力界面とを投影し、これにより、ユーザーの操作が便利である。会議モードでは、第一の投影部品の投影方向と第二の投影部品の投影方向との間の予定の角度が例えば90度または0度であってもよく、すなわち、第一の投影部品と第二の投影部品とが90度となる方向または同じ方向上にそれぞれに出力界面と入力界面とを投影し、これにより、会議スポークスマンがこの電子デバイスを操ることが便利になり、且つ、参加者が相関な会議資料を観覧することが便利になる。入力/出力界面の投影方向の調整を自動化させることにより、電子デバイスの使用がさらに便利になる。
【００４３】
いくつかの実施例において、接続機構230は、接続機構230の軸方向にこの第一の投影部品とこの第二の投影部品とを接続し、且つ、この第一の投影部品とこの第二の投影部品とのこの軸方向上に相対的な位置の変わりに基づいて、この第一の投影部品とこの第二の投影部品との相対的な回転を許可するロック解除状態とこの第一の投影部品とこの第二の投影部品との相対的な回転を禁止するロック状態との間に切り替えるように配置される。いくつかの実施例において、接続機構230は、第一の部分210が相対的な第二部分220により押下されると、第一の部分210の位置が相対的な第二部分220によりロックされるように設計されてもよい。第一の部分210が相対的な第二部分220により持ち上げられると、第一の部分210が第二部分220に対して回転してもよい。第一の投影部品と第二の投影部品との相対的な位置がロックされることを許可することにより、入力/出力界面の投影安定性を高める。
【００４４】
いくつかの実施例において、電子デバイス200は指紋識別領域240をさらに含み、前記指紋識別領域240は、電子デバイスのユーザーの指紋を得て、且つ、このユーザーの指紋に基づいてユーザを鑑別することにより、ユーザーが様々な操作を行うことを許可するように配置される。一つの例示において、電子デバイス200をロック解除すること、電子デバイス200の中の秘密書類をアクセスすることなどを除いて、ユーザーは、指紋識別領域240による指紋識別を経由して、第一の投影部品と第二の投影部品とをオンすることができる。いくつかの実施例において、指紋識別領域240がキーの形式を採用してもよい。指紋鑑別を経由して投影部品についての操作を許可することにより、電子デバイスの使用がさらに便利になる。
【００４５】
また、図2aと図2bに示したように、電子デバイス200は、電子デバイス200の操作に必要な他の部品（例えば、第一の部分上での電源キー250、第二の部分220上でのオーディオ出力部品260、270及び電源充電/USBインタフェース280）をさらに含む。
【００４６】
付加的にまたは代わりに、電子デバイス200が、他の部品（例えば、中央処理装置（CPU）、記憶デバイス、ネットワークモジュール、オーディオビデオ復号モジュール、オーディオビデオ出力インタフェース、電源モジュール、および電子デバイス200の操作に必要な他の部品）をさらに含ってもよい、ことを認識できる。しかし、本開示についての指導を混乱することが回避されるために、これらの公知の部品を省く。
【００４７】
電子デバイス200が特定の形状（例えば図2での円柱形）を有するように示されるが、電子デバイス200が、上記部品のいかなる形状と寸法も収容できるものに製造されてもよい、ことを認識できる。選択可能に、電子デバイス200が角柱形、角錐形に製造されてもよく、または、美感が具備可能な他の形状にさらに製造される。
【００４８】
本明細書に叙述された技術がいかなるタイプの電子デバイスにも適用されることができ、且つ、小さい携帯電子デバイスには最も有効である、ことを認識できる。
【００４９】
図3は、本開示の実施例による電子デバイスの入力出力のための方法300のフローチャートを示す。ステップ310では、この方法がスタートする。方法のスタートは、例えば電子デバイスが起動されるまたは再起動されることに応答することであってもよく、新しい入力信号を受信したことに応答することであってもよい。ステップ320では、出力界面に用いられる第一の投影信号と入力界面に用いられる第二の投影信号とを生成する。例えば、第一投影信号と第二の投影信号とは、電子デバイスでは予め設置された入出力信号であってもよく、それは、例えば起動画面付き仮想スクリーンと対応する仮想キーボードとを呈するように制御する。いくつかの実施例において、生成された第一の投影信号および/または第二の投影信号は、電子デバイスの実行状態または電子デバイスが実行するアプリケーションに適応されてもよく、および/または受信された入力信号により変わられるまたは再生成される。
【００５０】
ステップ330では、第一の投影部品により、第一の投影信号に従って出力界面を投影する。出力界面は、電子デバイスから出力された図形を呈する。例えば、電子デバイスがアプリケーションを実行していると、出力界面は、目前に実行するアプリケーションに用いている界面（例えば、ブラウザアプリケーションに用いているウェブページまたはゲームアプリケーションに用いているゲーム画面）を呈する。電子デバイスがスクリーンセーバー状態にあると、出力界面は、いかなる内容を呈しなくてもよいまたは対応するスクリーンセーバープログラムの画面のみを呈してもよい。
【００５１】
ステップ340では、第二の投影部品により、第二の投影信号に従って入力界面を投影する。入力界面は、電子デバイスが入力を受信するための入力インタフェースを呈する。いくつかの実施例において、入力界面は、電子デバイスの工作状態または電子デバイスが実行するアプリケーションに適応されてもよい。例えば、電子デバイスがブラウザアプリケーションやワードプロセシングアプリケーションを実行していると、入力界面は、通常のパーソナルパソコンキーボードを呈してもよい。電子デバイスがゲームアプリケーションを実行していると、入力界面は、このゲームアプリケーションに専用するゲームキーボードを呈してもよい、または、通常のパーソナルパソコンキーボードを呈することを除いて、このゲームアプリケーションに専用する一つのまたは複数のキーなどを呈してもよい。電子デバイスがスクリーンセーバー状態にあると、第二の投影部品は、オフ状態にあり、いかなる入力界面も投影しなくてもよい。
【００５２】
ステップ350では、投影された入力界面の中の入力信号を検出し、それを前記電子デバイスの入力信号とする。例えば、投影された入力界面が仮想キーボードであると、仮想キーボードの中のそれぞれのキーが検出されて、それが「押下される」か否かを確認し、且つ、得られる検出結果が、入力信号を生成することに用いられる。
【００５３】
この後、方法300がステップ320に戻り、生成された入力信号が、電子デバイスの入力信号として用いられ、第一の投影信号と第二の投影信号とを変わるまたは再生成することに用いられる。
【００５４】
本開示の実施例に従って、投影方式を採用し入出力を行うことにより、電子デバイスの入出力装置を小型化させると同時に、依然として所望の大きさの入出力界面を提供する。これは、電子デバイスの体積をさらに低減させることができ、それと同時に、依然として操作上の便利を保持する。
【００５５】
いくつかの実施例において、方法300は、第一の投影部品と第二の投影部品とを接続する接続機構により、この第一の投影部品とこの第二の投影部品とを相対的に回転させ、この第一の投影部品とこの第二の投影部品との投影方向を変わる、ことをさらに含む。第一の投影部品と第二の投影部品との回転が、マニュアル方式や自動方式により行いてもい、ことを理解できる。
【００５６】
電子デバイスが多種の操作モードを有する場合に、方法300は、前記多種の操作モードから選択される操作モードに従って、この接続機構により第一の投影部品と第二の投影部品とのうちの少なくとも一つを自動に回転し、対応する投影方向によりこの出力界面とこの入力界面とを投影する、ことを含む。
【００５７】
本開示の実施例に従って、接続機構を経由して入力界面/出力界面の投影方向を自動調整することにより、電子デバイスの使用便利性を高める。
【００５８】
図4は、本開示の実施例による入出力装置400の模範的なブロック図を示す。入出力装置400は電子デバイスに用いられ、且つ電子デバイスに対して独立するものであってもよい。電子デバイスは従来の電子デバイスであってもよく、本開示の実施例による電子デバイスであってもよい。図4に示したように、入出力装置400は、通信部品410と、第一の投影部品420と、第二の投影部品430と、検出部品440とを含む。図4にはこのいくつかの種類の部品のみを示したが、本開示の実施例による入出力装置400が、以上のように参照される図1と図2に叙述された一つのまたは複数の部品およびその操作に必要な他の部品をさらに含んでもよい、ことが理解できる。
【００５９】
通信部品410は、電子デバイスに通信可能に接続し（すなわち、通信できるように接続し）、入出力装置400がこの電子デバイスと通信することを許可する。通信部品は、ネットワークインタフェースカード（NIC）、集積ネットワークインタフェース、無線周波数送信機/受信機、赤外ポート、USB接続、または入出力装置を電子デバイスに接続するための他のインタフェースを含んでもよいがこれに限定されるものではない。通信部品410が電子デバイスとの有線接続や無線接続をサポートしてもよい。通信部品410は、電子デバイスからの出力界面に用いられる第一の投影信号と入力界面に用いられる第二の投影信号とを受信するように配置されてもよい。
【００６０】
第一の投影部品420は、この第一の投影信号に従ってこの出力界面を投影するように配置される。第二の投影部品430は、第二の投影信号に従ってこの入力界面を投影するように配置される。検出部品440は、投影された入力界面の中の入力信号を検出するように配置される。
【００６１】
ここでの第一の投影部品420と、第二の投影部品430と、検出部品440との功能および工作方式は、以上に参照された図1に叙述された対応する部品に似ている。ただし、第一の投影部品420と、第二の投影部品430と、検出部品440とは、ともに通信部品410にカップリングされ、それらは、通信部品410から第一の投影信号と第二の投影信号とを受信し、検出された入力信号を通信部品410を介して電子デバイスに伝送する。
【００６２】
参照された図1に叙述された電子デバイスに似て、入出力装置410は、接続機構を含んでもよく、接続機構は、この第一の投影部品とこの第二の投影部品とを接続し、この第一の投影部品とこの第二の投影部品とを相対的に回転させ、投影された出力界面と投影された入力界面との投影方向を変わるように配置される。
【００６３】
通信部品410は、この電子デバイスより多種の操作モードから選択される一つの操作モードを受信してもよく、且つ、接続機構は、受信された操作モードに従ってこの第一の投影部品と第二の投影部品とのうちの少なくとも一つを自動に回転し、対応する投影方向によりこの出力界面とこの入力界面とを投影するように配置される。
【００６４】
この接続機構は、接続機構の軸方向にこの第一の投影部品とこの第二の投影部品とを接続し、且つ、この第一の投影部品とこの第二の投影部品とのこの軸方向上に相対的な位置の変わりに基づいて、この第一の投影部品とこの第二の投影部品との相対的な回転を許可するロック解除状態とこの第一の投影部品とこの第二の投影部品との相対的な回転を禁止するロック状態との間に切り替えるように配置される。
【００６５】
本開示の実施例に従って、投影方式を採用し入出力を行うことにより、電子デバイスの入出力装置を小型化させると同時に、依然として所望の大きさの入出力界面を提供する。これは、電子デバイスの体積をさらに低減させることができ、それと同時に、依然として操作上の便利を保持する。
【００６６】
図5は、本開示の実施例による入出力装置を応用する模範的な環境500を示す。図5に示したように、模範的な環境500が、本開示の実施例による入出力装置510と様々なタイプの電子デバイスとを含む。電子デバイスは、伝統的なコンピューター、娯楽器具、モバイルデバイス（パーソナルデジタルアシスタント（PDA）と移動電話となどを含む）などであってもよい。これらの電子デバイスは、入出力装置を含んでもよいまたは含まなくてもよい。例示をとして、図5には入出力装置付きないコンピューター520、小さい寸法の入出力装置付きパーソナルデジタルアシスタント（PDA）530と移動電話540とを示す。
【００６７】
入出力装置510がネットワーク550により電子デバイスと通信する。ネットワーク550が有線接続や無線接続やそれらの組み合わせをサポートしてもよく、入出力装置510を電子デバイスにアタッチしI/Oデバイスとすることに用いられる。
【００６８】
いくつかの実施例において、電子デバイスが自身の入出力装置が有すると、それは、ユーザーが自身の入出力装置と本開示の実施例による入出力装置との間に自由に切り替えることを許可する。例えば、移動電話540のユーザーが、より大きいスクリーンを使用し内容を観覧するまたはより大きいキーボードを使用し入力を完成することを望むと、それは移動電話540を入出力装置510に接続した後に入出力装置510を使用し入出力を行うことに切り替えてもよい。
【００６９】
本明細書が実施例の様々な操作を提供する。一つの実施例において、叙述された操作の中の一つのまたは複数の操作は、一つのまたは複数のコンピューター読み取り可能な媒体に記憶されるコンピューター読み取り可能な指令を構成することができ、前記コンピューター読み取り可能な指令は、コンピューターにより実行される場合に、計算デバイスに叙述された操作を実行させる。いくつかのまたは全ての操作を叙述する手順は、これらの操作が必ず手順に依存することを暗示するものに解釈するべきではない。本出願を読む当業者は、切り替え可能なシーケンスが存在することを意識する。他には、全ての操作が必ず本明細書に提供されるそれぞれの実施例に存在することではない、ことを理解すいる。
【００７０】
他には、特定に説明しない限り、「第一」および/または「第二」などが時間方面、空間方面、シーケンスなどを暗示することを意図しない。逆に、このような用語が、特徴、ユニット、項目などについての識別子、名称などのみとして用いられる。
【００７１】
他には、本明細書に使用される「模範的」とは、例示、実例、例証説明などを担当することであり、有利であるとは限らない。本明細書に使用されると、「または」は、排他的な「または」であり、包含の「または」ではないことを意図する。また、他に説明しない限りまたは本明細書には明らかに単数形式を指すしない限り、本出願に使用されるような「一つ」および「一つの」が通常に「一つのまたは複数の」に解釈される。また、AとBとのうちの少なくとも一つおよび/または類似説明は、通常にAまたはBまたはAとBとの両者を指す。他には、詳細説明や請求の範囲には、「包含」、「有する」、「ある」、「付き」および/またはその変形を使用することについては、このような用語は、「含む」に類似する方式を採用することを意図し、よって、包含を意味するものである。
【００７２】
また、一つのまたは複数の実現に関して本開示の内容を示し叙述するが、当業者は、本明細書と図面についての読みおよび理解に基づいて、同等な変わりおよび修正を思いつく。本開示の内容が全てのこのような修正および変わりを含むとともに、以下の請求の範囲のみに限定される。
【符号の説明】
【００７３】
１００  電子デバイス
１１０  入出力（Ｉ／Ｏ）コントローラー
１２０  第一の投影部品
１３０  第二の投影部品
１４０  検出部品
１５０  環境光感知モジュール
１６０  タッチ感知モジュール
２００  電子デバイス
２１０  第一の部分
２１１  第一の投影部品
２２０  第二の部分
２２１  第二の投影部品
２３０  接続機構
２４０  指紋識別領域
２５０  電源キー
２６０  オーディオ出力部品
２７０  オーディオ出力部品
２８０  インタフェース
４００  入出力装置
４１０  通信部品
４２０  第一の投影部品
４３０  第二の投影部品
４４０  検出部品
５１０  入出力装置
５２０  コンピューター
５３０  ＰＤＡ
５４０  移動電話
【図１】
0006495471.tif 000002
【図２ａ】
0006495471.tif 000003
【図２ｂ】
0006495471.tif 000004
【図３】
0006495471.tif 000005
【図４】
0006495471.tif 000006
【図５】
0006495471.tif 000007